(57)【要約】【課題】  表示部を見る者が複数人いる場合に、その複数人の中から対象を１人に絞って、対象の１人に合わせて、文字の表示態様を制御することができる表示装置、電子掲示板装置、携帯端末装置、カーナビゲーション装置、および表示プログラムを提供する。【解決手段】  表示装置１に、文字を表示する表示部１１と、画像を撮影する撮像部１２と、撮像部１２によって撮影された画像中に２つ以上の顔画像があった場合に、いずれか１つの顔画像を選択し、選択した顔画像を用いて、表示部１１に表示される文字の表示態様を制御する制御部１３とを設ける。【選択図】      図１
2013190673.tif 000002
【特許請求の範囲】
【請求項１】
文字を表示する表示部と、
画像を撮影する撮像部と、
前記撮像部によって撮影された画像中に２つ以上の顔画像があった場合に、いずれか１つの顔画像を選択し、選択した顔画像を用いて、前記表示部に表示される文字の表示態様を制御する制御部とを備えることを特徴とする表示装置。
【請求項２】
前記制御部は、
前記撮像部によって撮影された画像中に顔画像があるか否かを判断する判断部と、
前記撮像部によって撮影された画像中に顔画像があると前記判断部が判断した場合に、その画像中に存在する顔画像を抽出する抽出部と、
前記抽出部によって２つ以上の顔画像が抽出された場合に、いずれか１つの顔画像を選択するか、または、いずれか１つの顔画像から、その顔画像の基になった被写体と前記撮像部との間の距離を測定して、その距離を選択する選択部と、
前記選択部によって選択された顔画像の面積が基準面積よりも大きいか小さいか、または、前記選択部によって選択された距離が基準距離よりも大きいか小さいかを判断する判断部と、
前記選択部によって選択された顔画像の面積は前記基準面積よりも大きい、または、前記選択部によって選択された距離は前記基準距離よりも小さいと前記判断部が判断した場合に、前記表示部に表示される文字の表示態様を第１の表示態様に制御し、前記選択部によって選択された顔画像の面積は前記基準面積よりも小さい、または、前記選択部によって選択された距離は前記基準距離よりも大きいと前記判断部が判断した場合に、前記表示部に表示される文字の表示態様を、前記第１の表示態様よりも視認し易い第２の表示態様に制御する文字表示制御部とを含むことを特徴とする請求項１に記載の表示装置。
【請求項３】
前記文字表示制御部は、前記第１の表示態様と前記第２の表示態様との間で、文字サイズを変えずに文字の書体を変える制御を行うことを特徴とする請求項２に記載の表示装置。
【請求項４】
請求項２または３に記載の表示装置を含む電子掲示板装置であって、
前記選択部は、面積が最も小さな顔画像を選択するか、または、各顔画像の基になった被写体と前記撮像部との間の距離を測定して最も大きな距離を選択することを特徴とする電子掲示板装置。
【請求項５】
請求項２または３に記載の表示装置を含む携帯端末装置であって、
前記選択部は、面積が最も大きな顔画像を選択するか、または、各顔画像の基になった被写体と前記撮像部との間の距離を測定して最も小さな距離を選択することを特徴とする携帯端末装置。
【請求項６】
請求項２または３に記載の表示装置を含むカーナビゲーション装置であって、
前記撮像部は、前記カーナビゲーション装置が設けられる車両のハンドル部に設置され、
前記選択部は、面積が最も大きな顔画像を選択するか、または、各顔画像の基になった被写体と前記撮像部との間の距離を測定して最も小さな距離を選択することを特徴とするカーナビゲーション装置。
【請求項７】
表示部、撮像部、および制御部を備えるコンピュータを、請求項１〜３のいずれか１つに記載の表示装置として機能させることを特徴とする表示プログラム。
【発明の詳細な説明】
【技術分野】
【０００１】
本発明は、表示装置、電子掲示板装置、携帯端末装置、カーナビゲーション装置、および表示プログラムに関する。
【背景技術】
【０００２】
表示装置の分野では、ユーザと表示装置との間の距離に応じて文字の表示態様を異ならせる技術が知られている。たとえば、特許文献１，２では、距離センサを用いて、ユーザと表示装置との間の距離を測定し、測定した距離に基づいて文字サイズ等を制御することが記載されている。また、たとえば、特許文献３には、ユーザが通信機器を装着し、その通信機器と表示装置とが通信を行うことで、ユーザと表示装置との間の距離を測定し、測定した距離に基づいて文字サイズ等を制御することが記載されている。
【先行技術文献】
【特許文献】
【０００３】
【特許文献１】特開平１０−２６０６６６号公報
【特許文献２】特開平１１−３５２９５０号公報
【特許文献３】特開２００３−２７１２８４号公報
【発明の概要】
【発明が解決しようとする課題】
【０００４】
ユーザが１人である場合、特許文献１〜３に記載の技術によれば、ユーザと表示装置との間の距離に基づいて、文字の表示態様を制御することができる。しかしながら、たとえば、表示装置が電子掲示板装置などとして利用され、その電子掲示板装置を見る者が複数人いる場合、特許文献１〜３に記載の技術では、いずれの者に合わせて文字の表示態様を制御するかを決定することができない。
【０００５】
なお、特許文献１，２に記載の技術では、距離センサを用いて距離を測定しているが、距離センサは電磁波や音波を一定方向に出射し、電磁波や音波の反射を利用して距離を測定するものであるので、表示装置のユーザが複数人である場合、その複数人の顔と表示装置との間の距離を測定することができない。また、特許文献３に記載の技術では、ユーザが通信機器を装着することで距離を測定しているが、表示装置のユーザが複数人である場合、その複数人全員について通信機器を用意しなければならない。
【０００６】
本発明は、上述した課題を解決するためのものであり、表示部を見る者が複数人いる場合に、その複数人の中から対象を１人に絞って、対象の１人に合わせて、文字の表示態様を制御することができる表示装置、電子掲示板装置、携帯端末装置、カーナビゲーション装置、および表示プログラムを提供することを目的とする。
【課題を解決するための手段】
【０００７】
本発明は、文字を表示する表示部と、
画像を撮影する撮像部と、
前記撮像部によって撮影された画像中に２つ以上の顔画像があった場合に、いずれか１つの顔画像を選択し、選択した顔画像を用いて、前記表示部に表示される文字の表示態様を制御する制御部とを備えることを特徴とする表示装置である。
【０００８】
また本発明は、前記制御部は、
前記撮像部によって撮影された画像中に顔画像があるか否かを判断する判断部と、
前記撮像部によって撮影された画像中に顔画像があると前記判断部が判断した場合に、その画像中に存在する顔画像を抽出する抽出部と、
前記抽出部によって２つ以上の顔画像が抽出された場合に、いずれか１つの顔画像を選択するか、または、いずれか１つの顔画像から、その顔画像の基になった被写体と前記撮像部との間の距離を測定して、その距離を選択する選択部と、
前記選択部によって選択された顔画像の面積が基準面積よりも大きいか小さいか、または、前記選択部によって選択された距離が基準距離よりも大きいか小さいかを判断する判断部と、
前記選択部によって選択された顔画像の面積は前記基準面積よりも大きい、または、前記選択部によって選択された距離は前記基準距離よりも小さいと前記判断部が判断した場合に、前記表示部に表示される文字の表示態様を第１の表示態様に制御し、前記選択部によって選択された顔画像の面積は前記基準面積よりも小さい、または、前記選択部によって選択された距離は前記基準距離よりも大きいと前記判断部が判断した場合に、前記表示部に表示される文字の表示態様を、前記第１の表示態様よりも視認し易い第２の表示態様に制御する文字表示制御部とを含むことを特徴とする。
【０００９】
また本発明は、前記文字表示制御部は、前記第１の表示態様と前記第２の表示態様との間で、文字サイズを変えずに文字の書体を変える制御を行うことを特徴とする。
【００１０】
また本発明は、前記表示装置を含む電子掲示板装置であって、
前記選択部は、面積が最も小さな顔画像を選択するか、または、各顔画像の基になった被写体と前記撮像部との間の距離を測定して最も大きな距離を選択することを特徴とする電子掲示板装置である。
【００１１】
また本発明は、前記表示装置を含む携帯端末装置であって、
前記選択部は、面積が最も大きな顔画像を選択するか、または、各顔画像の基になった被写体と前記撮像部との間の距離を測定して最も小さな距離を選択することを特徴とする携帯端末装置である。
【００１２】
また本発明は、前記表示装置を含むカーナビゲーション装置であって、
前記撮像部は、前記カーナビゲーション装置が設けられる車両のハンドル部に設置され、
前記選択部は、面積が最も大きな顔画像を選択するか、または、各顔画像の基になった被写体と前記撮像部との間の距離を測定して最も小さな距離を選択することを特徴とするカーナビゲーション装置である。
【００１３】
また本発明は、表示部、撮像部、および制御部を備えるコンピュータを、前記表示装置として機能させることを特徴とする表示プログラムである。
【発明の効果】
【００１４】
本発明によれば、表示部を見る者が複数人いる場合に、撮像部によって、その複数人の顔画像を撮影し、制御部によって、複数人の顔画像の中から１つの顔画像を選択することで、複数人の中から対象を１人に絞って、対象の１人に合わせて、文字の表示態様を制御することができる。
【００１５】
また本発明によれば、表示部を見る者が複数人いる場合に、その複数人の中から対象を１人に絞り、対象の１人の顔と表示部との間の距離が小さいときに、第１の表示態様で文字を表示させ、対象の１人の顔と表示部との間の距離が大きいときに、第１の表示態様よりも視認性が高い第２の表示態様で文字を表示させることができる。
【００１６】
また本発明によれば、文字サイズを変えないので、表示部に表示可能な文字数は変わらない。したがって、第２の表示態様で文字を表示させるとき、表示部に表示される文字数を減らすことなく、視認性を高めることができる。
【００１７】
また本発明によれば、電子掲示板装置の表示部とその表示部を最も離れた位置で見ている者の顔との間の距離が近いときに、第１の表示態様で文字を表示し、電子掲示板装置の表示部とその表示部を最も離れた位置で見ている者の顔との間の距離が遠いときに、視認し易い第２の表示態様で文字を表示することができる。
【００１８】
また本発明によれば、携帯端末装置の表示部と携帯端末装置の利用者の顔との間の距離が近いときに、第１の表示態様で文字を表示し、携帯端末装置の表示部と携帯端末装置の利用者の顔との間の距離が遠いときに、視認し易い第２の表示態様で文字を表示することができる。
【００１９】
また本発明によれば、カーナビゲーション装置の表示部と車両の運転者の顔との間の距離が近いときに、第１の表示態様で文字を表示し、カーナビゲーション装置の表示部と車両の運転者の顔との間の距離が遠いときに、視認し易い第２の表示態様で文字を表示することができる。
【００２０】
また本発明によれば、表示部、撮像部、および制御部を備えるコンピュータを、前記表示装置として機能させることができる。
【図面の簡単な説明】
【００２１】
【図１】本発明に係る表示装置１の構成を示す図である。
【図２】文字の書体の制御の例を示す図である。
【図３】表示装置１の動作を示すフローチャートである。
【図４】本発明に係る表示装置２の構成を示す図である。
【図５】表示装置２の動作を示すフローチャートである。
【図６】本発明に係る表示装置３の構成を示す図である。
【図７】表示装置３の動作を示すフローチャートである。
【発明を実施するための形態】
【００２２】
以下に、本発明の第１実施形態である表示装置１について説明する。本発明に係る表示装置１は、携帯電話やスマートフォン、ポータブルＰＣ（Personal Computer）などの携帯端末装置や、車両に設けられるカーナビゲーション装置、街頭や建物内に設けられる電子掲示板装置などとして利用される。図１に、本発明に係る表示装置１の構成を示す。表示装置１は、表示部１１と、撮像部１２と、制御部１３とを含む。
【００２３】
表示部１１は、たとえば、液晶ディスプレイやプラズマディスプレイなどである。表示部１１が液晶ディスプレイである場合、表示部１１は、表示画面を有する液晶表示パネルと、液晶表示パネルの表示画面とは反対側、すなわち背面側に配置されるバックライトユニットとを含む。
【００２４】
液晶表示パネルは、画素電極および画素電極と電気的に接続された薄膜トランジスタを有するアレイ基板、共通電極およびカラーフィルタを有するカラーフィルタ基板、ならびに、アレイ基板とカラーフィルタ基板との間に介在する液晶層を含む。液晶層は、制御部１３によって、画素電極と共通電極との間に形成される電場が制御されることで画素ごとに配列が変更され、これによって、画素ごとに液晶層を透過する光の透過率が変更される。
【００２５】
バックライトユニットは、液晶表示パネルに、背面側から光を照射することで表示画面に画像を表示させる。バックライトユニットは、パルス幅変調方式によって出射する光の明るさが制御される１または複数の発光部を含む。発光部は、たとえば、発光ダイオード（Light Emitting Diode，ＬＥＤ）であり、制御部１３によって、印加される周期的なパルス波のデューティー比が制御される。
【００２６】
撮像部１２は、たとえば、ＣＣＤ（Charge Coupled Device）イメージセンサなどの撮像素子を有するデジタルカメラであり、撮像素子によって取得された画像データを、制御部１３に入力する。撮像部１２は、所定時間おきに、たとえば、１／６０秒おき〜１０秒おきに、画像データを取得して制御部１３に入力する。
【００２７】
表示装置１が携帯端末装置や電子掲示板として利用される場合、撮像部１２は、表示部１１に近接して設けられ、撮像素子の受光面の法線方向が、表示部１１の表示画面の法線方向と一致するように設けられる。これによって、撮像部１２は、表示部１１の表示画面を見ようとする人を撮影することができる。表示装置１が車両に設けられるカーナビゲーション装置として利用される場合、撮像部１２は、その車両のハンドル部に設けられ、撮像素子の受光面が、運転席に向くように設けられる。これによって、撮像部１２は、車両の運転者を撮影することができる。
【００２８】
制御部１３は、表示部１１および撮像部１２に電気的に接続され、内部に記憶されている画像データまたは外部から入力された画像データと、撮像部１２によって取得されたデータとに基づいて、表示部１１を制御して画像を表示させる。制御部１３は、ＣＰＵ（Central Processing Unit）などの制御演算回路と、ＤＤＲ  ＳＤＲＡＭ（Double Data Rate Synchronous Dynamic Random Access Memory）などの揮発性メモリ、および、フラッシュＲＯＭ（Read Only Memory）、ＥＥＰＲＯＭ（登録商標）、ＨＤＤ（Hard Disk Drive）などの不揮発性メモリを含む記憶回路とを含む。また、制御部１３は、後述する距離センサを含む。記憶回路には、本発明に係る表示プログラムが記憶され、この表示プログラムに基づいて、制御部１３は、顔判断部１３１、抽出部１３２、測定部１３３、距離選択部１３４、距離判断部１３５、および文字表示制御部１３６として機能する。
【００２９】
顔判断部１３１は、撮像部１２によって撮影された画像データによって表される画像中に、人間の顔を表す顔画像があるか否かを判断する。顔判断部１３１は、従来公知の画像処理方法によって、顔画像があるか否かを判断する。たとえば、顔判断部１３１は、撮像部１２によって撮影された画像中のエッジ画素を抽出し、抽出された複数のエッジ画素の中に、ループを形成する複数のエッジ画素が存在するか否かを判断し、存在する場合に、さらに、そのループよりも内側に複数の不連続なエッジ画素が存在するか否かを判断し、存在する場合に、そのループを、人間の顔の輪郭であると判断する。
【００３０】
抽出部１３２は、撮像部１２によって撮影された画像中に１または複数の顔画像があると顔判断部１３１が判断した場合に、その画像中からすべての顔画像を抽出する。たとえば、抽出部１３２は、撮像部１２によって撮影された画像中の、ループを形成する複数のエッジ画素を抽出する。
【００３１】
測定部１３３は、たとえば、赤外線距離センサ、超音波距離センサなどの、電磁波または音波を出射して距離を測定する距離センサを有する。測定部１３３は、撮像部１２に近接して設けられる。測定部１３３は、抽出部１３２によって顔画像が抽出されると、その顔画像から、その顔画像の基となった被写体が存在した方向に、電磁波または音波の出射部を向けて、距離を測定する。被写体が移動していないと仮定すれば、測定部１３３は、撮像部１２に近接して設けられるので、撮像部１２と被写体との間の距離を測定することになる。そして、顔画像が複数抽出された場合には、すべての顔画像について、その顔画像の基となった被写体の顔と撮像部１２との間の距離を測定することになる。
【００３２】
距離選択部１３４は、測定部１３３によって測定されたすべての距離のうちの最小値または最大値となる距離を選択する。最小値を選択するか、最大値を選択するかは、表示装置１が何に利用されるかによって異なる。
【００３３】
表示装置１が携帯端末装置として利用される場合、距離選択部１３４は、最小値となる距離を選択する。この場合、撮像部１２は表示部１１に近接して設けられるので、最小値となる距離は、表示部１１と携帯端末装置の利用者の顔との間の距離を表している。
【００３４】
表示装置１が電子掲示板として利用される場合、距離選択部１３４は、最大値となる距離を選択する。この場合、撮像部１２は表示部１１に近接して設けられるので、最大値となる距離は、表示部１１と表示部１１を最も離れた位置で見ている者の顔との間の距離を表している。
【００３５】
表示装置１がカーナビゲーション装置として利用される場合、距離選択部１３４は、最小値となる距離を選択する。この場合、撮像部１２は車両のハンドル部に設けられるので、最小値となる距離は、ハンドル部と運転者の顔との間の距離を表している。
【００３６】
距離判断部１３５は、基準距離を記憶しており、距離選択部１３４によって選択された距離が、基準距離よりも大きいか、基準距離と等しいか、または基準距離よりも小さいかを判断する。表示装置１が携帯端末装置や電子掲示板として利用される場合、基準距離は表示部１１の大きさなどに従って設定される。表示装置１がカーナビゲーション装置として利用される場合、基準距離は表示部１１の大きさや車両のハンドル部と表示部１１との間の距離などに従って設定される。
【００３７】
文字表示制御部１３６は、距離選択部１３４によって選択された距離は基準距離よりも小さいと距離判断部１３５が判断した場合に、表示部１１に表示される文字の表示態様を第１の表示態様に制御する。また、文字表示制御部１３６は、距離選択部１３４によって選択された距離は基準距離と等しいか、または基準距離よりも大きいと距離判断部１３５が判断した場合に、表示部１１に表示される文字の表示態様を、第１の表示態様よりも視認し易い第２の表示態様に制御する。
【００３８】
本実施形態では、文字表示制御部１３６は、文字の表示態様の制御として、文字サイズを変えずに文字の書体の制御を行う。図２に、文字の書体の制御の例を示す。図２（ａ）では、文字表示制御部１３６は、表示部１１に、行書体で文字を表示させており、図２（ｂ）では、文字表示制御部１３６は、表示部１１に、ゴシック体で文字を表示させている。この例では、行書体で表示された文字が、第１の表示態様で表示された文字であり、ゴシック体で表示された文字が、第２の表示態様で表示された文字である。
【００３９】
なお、文字表示制御部１３６は、文字の表示態様の制御として、文字の書体の制御を行う代わりに、第２の表示態様の方が文字の太さが太くなるように、文字の太さの制御を行ってもよい。また、文字表示制御部１３６は、文字の表示態様の制御として、文字の書体の制御を行うとともに、文字の太さの制御を行ってもよい。
【００４０】
このように構成される表示装置１の動作を、図３にフローチャートで示す。図３のステップＡ１〜ステップＡ７の処理は、撮像部１２によって画像が取得されて制御部１３に入力されるたびに行われる。
【００４１】
ステップＡ１では、顔判断部１３１が、撮像部１２によって撮影された画像中に、人間の顔を表す顔画像があるか否かを判断する。顔画像がある場合はステップＡ２へ進み、顔画像がない場合はステップＡ７へ進む。
【００４２】
ステップＡ２では、抽出部１３２が、撮像部１２によって撮影された画像中の顔画像を抽出する。ステップＡ３では、測定部１３３が、ステップＡ２において抽出された顔画像の基となった被写体が存在した方向に、電磁波または音波を出射して、距離を測定する。
【００４３】
ステップＡ４では、距離選択部１３４が、測定部１３３によって測定されたすべての距離のうちの最小値または最大値となる距離を選択する。表示装置１が携帯端末装置やカーナビゲーション装置として利用される場合、距離選択部１３４は、最小値となる距離を選択する。表示装置１が電子掲示板として利用される場合、距離選択部１３４は、最大値となる距離を選択する。なお、測定された距離が１つのみであれば、その距離が選択されることになる。
【００４４】
ステップＡ５では、距離判断部１３５が、距離選択部１３４によって選択された距離は、基準距離よりも大きいか、基準距離と等しいか、または基準距離よりも小さいかを判断する。距離選択部１３４によって選択された距離が基準距離よりも小さい場合はステップＡ６へ進み、距離選択部１３４によって選択された距離が基準距離と等しいか、または基準距離よりも大きい場合はステップＡ７へ進む。
【００４５】
ステップＡ６では、文字表示制御部１３６が、表示部１１に表示される文字の表示態様を第１の表示態様に制御する。ステップＡ７では、文字表示制御部１３６が、表示部１１に表示される文字の表示態様を、第２の表示態様に制御する。
【００４６】
以上のステップＡ１〜ステップＡ７の処理によれば、表示装置１が携帯端末装置として利用される場合、表示部１１と携帯端末装置の利用者の顔との間の距離が近いときに、第１の表示態様で文字が表示され、表示部１１と携帯端末装置の利用者の顔との間の距離が遠いときに、視認し易い第２の表示態様で文字が表示されることになる。また、表示装置１が電子掲示板装置として利用される場合、表示部１１と表示部１１を最も離れた位置で見ている者の顔との間の距離が近いときに、第１の表示態様で文字が表示され、表示部１１と表示部１１を最も離れた位置で見ている者の顔との間の距離が遠いときに、視認し易い第２の表示態様で文字が表示されることになる。また、表示装置１がカーナビゲーション装置として利用される場合、表示部１１と車両の運転者の顔との間の距離が近いときに、第１の表示態様で文字が表示され、表示部１１と車両の運転者の顔との間の距離が遠いときに、視認し易い第２の表示態様で文字が表示されることになる。
【００４７】
したがって、表示装置１は、表示部１１を見る者が複数人いる場合に、対象を１人に絞って、文字の表示態様を制御することができる。そして、対象となった１人が遠い位置にいるときには、見え易い表示態様に制御することができ、対象となった１人が近い位置にいるときには、審美性の高い表示態様に制御することができる。
【００４８】
次に、本発明の第２実施形態である表示装置２について説明する。図４に、本発明に係る表示装置２の構成を示す。表示装置２は、表示部２１と、撮像部２２と、制御部２３とを含む。
【００４９】
表示部２１および撮像部２２は、表示部１１および撮像部１２と同様に構成される。制御部２３は、距離センサを含まないこと以外は、制御部１３と同様に構成される。また、制御部２３の記憶回路には、制御部１３の記憶回路に記憶される表示プログラムとは異なる、本発明に係る表示プログラムが記憶されており、この表示プログラムに基づいて、制御部２３は、顔判断部２３１、抽出部２３２、画像選択部２３３、画像判断部２３４、および文字表示制御部２３５として機能する。
【００５０】
顔判断部２３１は、顔判断部１３１と同様に、撮像部２２によって撮影された画像データによって表される画像中に、人間の顔を表す顔画像があるか否かを判断する。抽出部２３２は、抽出部１３２と同様に、撮像部２２によって撮影された画像中に１または複数の顔画像があると顔判断部２３１が判断した場合に、その画像中からすべての顔画像を抽出する。
【００５１】
画像選択部２３３は、抽出部２３２によって２つ以上の顔画像が抽出された場合に、いずれか１つの顔画像を選択する。いずれの顔画像を選択するかは、表示装置２が何に利用されるかによって異なる。
【００５２】
表示装置２が携帯端末装置として利用される場合、画像選択部２３３は、面積が最大値となる顔画像を選択する。この場合、撮像部２２は表示部２１に近接して設けられるので、面積が最大値となる顔画像は、携帯端末装置の利用者の顔画像と考えることができ、その面積は、表示部２１と携帯端末装置の利用者の顔との間の距離に対応する。
【００５３】
表示装置２が電子掲示板として利用される場合、画像選択部２３３は、面積が最小値となる顔画像を選択する。この場合、撮像部２２は表示部２１に近接して設けられるので、面積が最小値となる顔画像は、表示部２１を最も離れた位置で見ている者の顔と考えることができ、その面積は、表示部２１と表示部２１を最も離れた位置で見ている者の顔との間の距離に対応する。
【００５４】
表示装置２がカーナビゲーション装置として利用される場合、画像選択部２３３は、面積が最大値となる顔画像を選択する。この場合、撮像部２２は車両のハンドル部に設けられるので、面積が最大値となる顔画像は、運転者の顔と考えることができ、その面積は、ハンドル部と運転者の顔との間の距離に対応する。
【００５５】
画像判断部２３４は、基準面積を記憶しており、画像選択部２３３によって選択された顔画像の面積が、基準面積よりも大きいか、基準面積と等しいか、または基準面積よりも小さいかを判断する。表示装置２が携帯端末装置や電子掲示板として利用される場合、基準面積は表示部２１の大きさなどに従って設定される。表示装置２がカーナビゲーション装置として利用される場合、基準面積は表示部２１の大きさや車両のハンドル部と表示部２１との間の距離などに従って設定される。
【００５６】
文字表示制御部２３５は、画像選択部２３３によって選択された顔画像の面積は基準面積よりも大きいと画像判断部２３４が判断した場合に、表示部２１に表示される文字の表示態様を第１の表示態様に制御する。また、文字表示制御部２３５は、画像選択部２３３によって選択された顔画像の面積は基準面積と等しいか、または基準面積よりも小さいと画像判断部２３４が判断した場合に、表示部２１に表示される文字の表示態様を、第１の表示態様よりも視認し易い第２の表示態様に制御する。第１実施形態と同様に、第１の表示態様の文字は、行書体や明朝体の文字や細い文字であり、第２の表示態様の文字は、ゴシック体の文字や太い文字である。
【００５７】
このように構成される表示装置２の動作を、図５にフローチャートで示す。図５のステップＢ１〜ステップＢ６の処理は、撮像部２２によって画像が取得されて制御部２３に入力されるたびに行われる。
【００５８】
ステップＢ１では、顔判断部２３１が、撮像部２２によって撮影された画像中に、人間の顔を表す顔画像があるか否かを判断する。顔画像がある場合はステップＢ２へ進み、顔画像がない場合はステップＢ６へ進む。
【００５９】
ステップＢ２では、抽出部２３２が、撮像部２２によって撮影された画像中の顔画像を抽出する。ステップＢ３では、画像選択部２３３が、抽出部２３２によって抽出された顔画像のうちの、いずれか１つの顔画像を選択する。表示装置２が携帯端末装置やカーナビゲーション装置として利用される場合、画像選択部２３３は、面積が最大値となる顔画像を選択する。表示装置２が電子掲示板として利用される場合、画像選択部２３３は、面積が最小値となる顔画像を選択する。なお、抽出された顔画像が１つのみであれば、その顔画像が選択されることになる。
【００６０】
ステップＢ４では、画像判断部２３４が、画像選択部２３３によって選択された顔画像の面積は、基準面積よりも大きいか、基準面積と等しいか、または基準面積よりも小さいかを判断する。画像選択部２３３によって選択された顔画像の面積が基準面積よりも大きい場合はステップＢ５へ進み、画像選択部２３３によって選択された顔画像の面積が基準面積と等しいか、または基準面積よりも小さい場合はステップＢ６へ進む。
【００６１】
ステップＢ５では、文字表示制御部２３５が、表示部２１に表示される文字の表示態様を第１の表示態様に制御する。ステップＢ６では、文字表示制御部２３５が、表示部２１に表示される文字の表示態様を、第２の表示態様に制御する。
【００６２】
以上のステップＢ１〜ステップＢ６の処理によれば、表示装置２が携帯端末装置として利用される場合、表示部２１と携帯端末装置の利用者の顔との間の距離が近いときに、第１の表示態様で文字が表示され、表示部２１と携帯端末装置の利用者の顔との間の距離が遠いときに、視認し易い第２の表示態様で文字が表示されることになる。また、表示装置２が電子掲示板装置として利用される場合、表示部２１と表示部２１を最も離れた位置で見ている者の顔との間の距離が近いときに、第１の表示態様で文字が表示され、表示部２１と表示部２１を最も離れた位置で見ている者の顔との間の距離が遠いときに、視認し易い第２の表示態様で文字が表示されることになる。また、表示装置２がカーナビゲーション装置として利用される場合、表示部２１と車両の運転者の顔との間の距離が近いときに、第１の表示態様で文字が表示され、表示部２１と車両の運転者の顔との間の距離が遠いときに、視認し易い第２の表示態様で文字が表示されることになる。
【００６３】
したがって、表示装置２は、表示部２１を見る者が複数人いる場合に、対象を１人に絞って、文字の表示態様を制御することができる。そして、対象となった１人が遠い位置にいるときには、見え易い表示態様に制御することができ、対象となった１人が近い位置にいるときには、審美性の高い表示態様に制御することができる。
【００６４】
また、本実施形態では、顔画像の面積が大きいときに顔画像の基となった被写体は近い位置におり、顔画像の面積が小さいときに顔画像の基となった被写体は遠い位置にいると考えて、距離センサによる距離の測定を行わずに、対象を１人に絞って、文字の表示態様の制御を行っている。表示部２１を見る者が多数人である場合、距離センサによる距離の測定をその多数人全員に対して行うと、すべての測定が終わるまでに時間がかかり、その多数人の位置が変動してしまうおそれがある。これに対して、本実施形態では、距離の測定を行わないことで、多数人の位置が変動する前に処理が終わるように、ステップＢ１〜ステップＢ６の処理を早く完了することができる。
【００６５】
次に、本発明の第３実施形態である表示装置３について説明する。図６に、本発明に係る表示装置３の構成を示す。表示装置３は、表示部３１と、撮像部３２と、制御部３３とを含む。
【００６６】
表示部３１、撮像部３２、および制御部３３は、表示部１１、撮像部１２、および制御部１３と同様に構成される。制御部３３の記憶回路には、制御部１３，２３の記憶回路に記憶される表示プログラムとは異なる、本発明に係る表示プログラムが記憶されており、この表示プログラムに基づいて、制御部３３は、顔判断部３３１、抽出部３３２、画像選択部３３３、推定部３３４、測定部３３５、対象決定部３３６、判断部３３７、第１文字表示制御部３３８、距離選択部３３９、距離判断部３４０、および第２文字表示制御部３４１として機能する。
【００６７】
顔判断部３３１は、顔判断部１３１，２３１と同様に、撮像部３２によって撮影された画像データによって表される画像中に、人間の顔を表す顔画像があるか否かを判断する。抽出部３３２は、抽出部１３２，２３２と同様に、撮像部３２によって撮影された画像中に１または複数の顔画像があると顔判断部３３１が判断した場合に、その画像中からすべての顔画像を抽出する。
【００６８】
画像選択部３３３は、画像選択部２３３と同様に、抽出部３３２によって２つ以上の顔画像が抽出された場合に、いずれか１つの顔画像を選択する。いずれの顔画像を選択するかは、表示装置３が何に利用されるかによって異なる。
【００６９】
表示装置３が携帯端末装置として利用される場合、画像選択部３３３は、面積が最大値となる顔画像を選択する。この場合、撮像部３２は表示部３１に近接して設けられるので、面積が最大値となる顔画像は、携帯端末装置の利用者の顔画像と考えることができ、その面積は、表示部３１と携帯端末装置の利用者の顔との間の距離に対応する。
【００７０】
表示装置３が電子掲示板として利用される場合、画像選択部３３３は、面積が最小値となる顔画像を選択する。この場合、撮像部３２は表示部３１に近接して設けられるので、面積が最小値となる顔画像は、表示部３１を最も離れた位置で見ている者の顔と考えることができ、その面積は、表示部３１と表示部３１を最も離れた位置で見ている者の顔との間の距離に対応する。
【００７１】
表示装置３がカーナビゲーション装置として利用される場合、画像選択部３３３は、面積が最大値となる顔画像を選択する。この場合、撮像部３２は車両のハンドル部に設けられるので、面積が最大値となる顔画像は、運転者の顔と考えることができ、その面積は、ハンドル部と運転者の顔との間の距離に対応する。
【００７２】
推定部３３４は、推定基準距離および推定基準面積を記憶しており、画像選択部３３３によって選択された顔画像の面積と推定基準面積および推定基準距離とから、画像選択部３３３によって選択された顔画像の基となった被写体と表示部３１との間の距離を推定する。推定部３３４は、従来公知の推定方法によって距離を推定する。たとえば、推定部３３４は、顔画像の面積は、撮像部３２からの距離の２乗に比例するとみなして、撮像部３２に近接して設けられる表示部３１と顔画像の基となった被写体との間の距離を推定する。
【００７３】
表示装置３が携帯端末装置や電子掲示板として利用される場合、推定基準距離は表示部３１の大きさなどに従って設定される。表示装置３がカーナビゲーション装置として利用される場合、推定基準距離は表示部３１の大きさや車両のハンドル部と表示部３１との間の距離などに従って設定される。推定基準面積は、撮像部３２からの距離が推定基準距離となる位置に、平均的な大きさの人の顔があると仮定した場合に、撮像部３２によってその顔を撮影して得られる顔画像の面積である。
【００７４】
測定部３３５は、たとえば、赤外線距離センサ、超音波距離センサなどの、電磁波または音波を出射して距離を測定する距離センサを有する。測定部３３５は、撮像部３２に近接して設けられる。測定部３３５は、画像選択部３３３によって顔画像が選択されると、その顔画像から、その顔画像の基となった被写体が存在した方向に、電磁波または音波の出射部を向けて、距離を測定する。
【００７５】
対象決定部３３６は、推定部３３４によって推定された距離と測定部３３５によって測定された距離とが、同一または近似した値であった場合に、画像選択部３３３によって選択された顔画像またはその顔画像に基づいて測定部３３５によって測定された距離を対象に決定し、推定部３３４によって推定された距離と測定部３３５によって測定された距離とが、同一または近似した値でなかった場合に、画像選択部３３３に、既に選択した顔画像とは別の顔画像を選択させる。ここで、推定部３３４によって推定された距離と測定部３３５によって測定された距離とが近似した値であるとは、たとえば、測定部３３５によって測定された距離が、推定部３３４によって推定された距離の９０％以上１１０％以下の範囲内にあることをいう。
【００７６】
なお、表示装置３が携帯端末装置やカーナビゲーション装置として利用される場合、対象決定部３３６の指示により、画像選択部３３３は、既に選択した顔画像を除くすべての顔画像のうち、面積が最大値となる顔画像を選択する。表示装置３が電子掲示板として利用される場合、対象決定部３３６の指示により、画像選択部３３３は、既に選択した顔画像を除くすべての顔画像のうち、面積が最小値となる顔画像を選択する。
【００７７】
判断部３３７は、基準面積または基準距離を記憶しており、対象決定部３３６によって対象に決定された顔画像の面積または距離が、基準面積または基準距離よりも、大きいか、等しいか、または小さいかを判断する。表示装置３が携帯端末装置や電子掲示板として利用される場合、基準距離または基準面積は表示部３１の大きさなどに従って設定される。表示装置３がカーナビゲーション装置として利用される場合、基準距離または基準面積は表示部３１の大きさや車両のハンドル部と表示部３１との間の距離などに従って設定される。なお、判断部３３７は、基準面積または基準距離を記憶する代わりに、推定部３３４に記憶されている推定基準面積または推定基準距離を判断に用いてもよい。
【００７８】
第１文字表示制御部３３８は、対象決定部３３６によって対象に決定された顔画像の面積は基準面積よりも大きい、または、対象決定部３３６によって対象に決定された距離は基準距離よりも小さいと判断部３３７が判断した場合に、表示部３１に表示される文字の表示態様を第１の表示態様に制御する。また、第１文字表示制御部３３８は、対象決定部３３６によって対象に決定された顔画像の面積は基準面積と等しいか、もしくは小さい、または、対象決定部３３６によって対象に決定された距離は基準距離と等しいか、もしくは大きいと判断部３３７が判断した場合に、表示部３１に表示される文字の表示態様を、第１の表示態様よりも視認し易い第２の表示態様に制御する。第１、第２実施形態と同様に、第１の表示態様の文字は、行書体や明朝体の文字や細い文字であり、第２の表示態様の文字は、ゴシック体の文字や太い文字である。
【００７９】
距離選択部３３９は、抽出部３３２によって抽出されたいずれの顔画像またはその顔画像に基づいて測定部３３５によって測定されたいずれの距離についても、対象決定部３３６によって対象に決定されなかった否かを判断し、決定されなかった場合に、測定部３３５によって測定されたすべての距離のうちの最小値または最大値となる距離を選択する。最小値を選択するか、最大値を選択するかは、表示装置３が何に利用されるかによって異なる。
【００８０】
表示装置３が携帯端末装置やカーナビゲーション装置として利用される場合、距離選択部３３９は、最小値となる距離を選択する。表示装置３が電子掲示板として利用される場合、距離選択部３３９は、最大値となる距離を選択する。
【００８１】
距離判断部３４０は、距離選択部３３９によって選択された距離が、基準距離よりも大きいか、基準距離と等しいか、または基準距離よりも小さいかを判断する。なお、判断部３３７が基準距離を用いて判断を行う場合は、距離判断部３４０は、その基準距離を用いて判断を行い、判断部３３７が基準面積を用いて判断を行う場合は、距離判断部３４０は、基準距離を記憶しており、その基準距離を用いて判断を行う。
【００８２】
第２文字表示制御部３４１は、距離選択部３３９によって選択された距離は基準距離よりも小さいと距離判断部３４０が判断した場合に、表示部３１に表示される文字の表示態様を第１の表示態様に制御する。また、第２文字表示制御部３４１は、距離選択部３３９によって選択された距離は基準距離と等しいか、または基準距離よりも大きいと距離判断部３４０が判断した場合に、表示部３１に表示される文字の表示態様を、第２の表示態様に制御する。
【００８３】
このように構成される表示装置３の動作を、図７にフローチャートで示す。図７のステップＣ１〜ステップＣ１４の処理は、撮像部３２によって画像が取得されて制御部３３に入力されるたびに行われる。
【００８４】
ステップＣ１では、顔判断部３３１が、撮像部３２によって撮影された画像中に、人間の顔を表す顔画像があるか否かを判断する。顔画像がある場合はステップＣ２へ進み、顔画像がない場合はステップＣ１０へ進む。
【００８５】
ステップＣ２では、抽出部３３２が、撮像部３２によって撮影された画像中の顔画像を抽出する。ステップＣ３では、画像選択部３３３が、抽出部３３２によって抽出された顔画像のうちの、いずれか１つの顔画像を選択する。表示装置３が携帯端末装置やカーナビゲーション装置として利用される場合、画像選択部３３３は、面積が最大値となる顔画像を選択する。表示装置３が電子掲示板として利用される場合、画像選択部３３３は、面積が最小値となる顔画像を選択する。なお、抽出された顔画像が１つのみであれば、その顔画像が選択されることになる。
【００８６】
ステップＣ４では、推定部３３４が、画像選択部３３３によって選択された顔画像の面積と推定基準面積および推定基準距離とから、画像選択部３３３によって選択された顔画像の基となった被写体と表示部３１との間の距離を推定する。また、ステップＣ４では、測定部３３５が、画像選択部３３３によって顔画像が選択された顔画像から、その顔画像の基となった被写体が存在した方向に、電磁波または音波を出射して、距離を測定する。
【００８７】
ステップＣ５では、対象決定部３３６が、推定部３３４によって推定された距離と測定部３３５によって測定された距離とは同一または近似した値であるか否かを判断する。推定部３３４によって推定された距離と測定部３３５によって測定された距離とは同一または近似した値である場合はステップＣ６へ進み、推定部３３４によって推定された距離と測定部３３５によって測定された距離とは同一または近似した値でない場合はステップＣ７へ進む。
【００８８】
ステップＣ６では、対象決定部３３６が、画像選択部３３３によって選択された顔画像またはその顔画像に基づいて測定部３３５によって測定された距離を対象に決定し、ステップＣ８へ進む。ステップＣ７では、距離選択部３３９が、抽出部３３２によって抽出されたいずれの顔画像またはその顔画像に基づいて測定部３３５によって測定されたいずれの距離についても、対象決定部３３６によって対象に決定されなかった否かを判断する。いずれの顔画像についても対象に決定されなかった場合はステップＣ１１へ進み、対象決定部３３６による判断がまだ行われていない顔画像がある場合はステップＣ３へ戻り、対象決定部３３６の指示により、画像選択部３３３が、既に選択した顔画像とは別の顔画像を選択する。
【００８９】
ステップＣ８では、判断部３３７が、対象決定部３３６によって対象に決定された顔画像の面積または距離は、基準面積または基準距離よりも、大きいか、等しいか、または小さいかを判断する。対象決定部３３６によって対象に決定された顔画像の面積が基準面積よりも大きい、または、対象決定部３３６によって対象に決定された距離が基準距離よりも小さい場合はステップＣ９へ進み、対象決定部３３６によって対象に決定された顔画像の面積が基準面積と等しいか、もしくは小さい、または、対象決定部３３６によって対象に決定された距離が基準距離と等しいか、もしくは大きい場合はステップＣ１０へ進む。
【００９０】
ステップＣ９では、第１文字表示制御部３３８が、表示部３１に表示される文字の表示態様を第１の表示態様に制御する。ステップＣ１０では、第１文字表示制御部３３８が、表示部３１に表示される文字の表示態様を、第２の表示態様に制御する。
【００９１】
ステップＣ１１では、距離選択部３３９が、測定部３３５によって測定されたすべての距離のうちの最小値または最大値となる距離を選択する。表示装置３が携帯端末装置やカーナビゲーション装置として利用される場合、距離選択部３３９は、最小値となる距離を選択する。表示装置３が電子掲示板として利用される場合、距離選択部３３９は、最大値となる距離を選択する。
【００９２】
ステップＣ１２では、距離判断部３４０が、距離選択部３３９によって選択された距離は、基準距離よりも大きいか、基準距離と等しいか、または基準距離よりも小さいかを判断する。距離選択部３３９によって選択された距離が基準距離よりも小さい場合はステップＣ１３へ進み、距離選択部３３９によって選択された距離が基準距離と等しいか、または基準距離よりも大きい場合はステップＣ１４へ進む。
【００９３】
ステップＣ１３では、第２文字表示制御部３４１が、表示部３１に表示される文字の表示態様を第１の表示態様に制御する。ステップＣ１４では、第２文字表示制御部３４１が、表示部３１に表示される文字の表示態様を、第２の表示態様に制御する。
【００９４】
以上のステップＣ１〜ステップＣ１４の処理によれば、表示装置３が携帯端末装置として利用される場合、表示部３１と携帯端末装置の利用者の顔との間の距離が近いときに、第１の表示態様で文字が表示され、表示部３１と携帯端末装置の利用者の顔との間の距離が遠いときに、視認し易い第２の表示態様で文字が表示されることになる。また、表示装置３が電子掲示板装置として利用される場合、表示部３１と表示部３１を最も離れた位置で見ている者の顔との間の距離が近いときに、第１の表示態様で文字が表示され、表示部３１と表示部３１を最も離れた位置で見ている者の顔との間の距離が遠いときに、視認し易い第２の表示態様で文字が表示されることになる。また、表示装置３がカーナビゲーション装置として利用される場合、表示部３１と車両の運転者の顔との間の距離が近いときに、第１の表示態様で文字が表示され、表示部３１と車両の運転者の顔との間の距離が遠いときに、視認し易い第２の表示態様で文字が表示されることになる。
【００９５】
したがって、表示装置３は、表示部３１を見る者が複数人いる場合に、対象を１人に絞って、文字の表示態様を制御することができる。そして、対象となった１人が遠い位置にいるときには、見え易い表示態様に制御することができ、対象となった１人が近い位置にいるときには、審美性の高い表示態様に制御することができる。
【００９６】
また、本実施形態では、顔画像の面積が大きいときに顔画像の基となった被写体は近い位置におり、顔画像の面積が小さいときに顔画像の基となった被写体は遠い位置にいると考えて、顔画像の大小に基づいて対象を１人に絞って、その対象について、顔画像に基づく推定部３３４による距離の推定と、距離センサを有する測定部３３５による距離の測定とを行っている。そして、推定された距離と測定された距離とが同一または近似であるときに、その対象に決定して、文字の表示態様の制御を行っている。距離センサによる距離の測定をまったく行わずに、顔画像の大小のみで被写体が近いか遠いかを判断すると、被写体に大人と子供とがいるような場合に、被写体が近いか遠いかの判断を誤り、対象の選択を誤ってしまうおそれがある。これに対して、本実施形態では、顔画像の大小に基づいて対象を１人に絞った上で、距離センサによる距離の測定を行って、その対象と表示部３１との間の距離が真に近いか、または遠いかを確認し、確認した後、その対象に合わせて文字の表示態様の制御を行うことで、対象の選択の誤りを防ぎつつ、ステップＣ１〜ステップＣ１４の処理を早く完了することができる。
【００９７】
上記第１〜第３実施形態では、撮像部１２，２２，３２は、所定時間おきに、画像を撮影して制御部１３，２３，３３に入力しているが、所定時間おきではなく、画像全体が大きく変化するたびに、画像を撮影するようにしてもよい。また、画像全体が大きく変化するたびではなく、顔画像が大きく変化するたびであってもよい。
【００９８】
上記第１〜第３実施形態では、基準距離や基準面積との比較の結果に基づいて、文字の表示態様を制御している。この基準距離や基準面積は、すべての文字サイズについて共通であってもよいし、文字サイズごとに異なっていてもよい。たとえば、文字サイズが１ポイント以上１０ポイント未満のときは、第１の基準距離や第１の基準面積を用いて比較を行い、文字サイズが１０ポイント以上２０ポイント未満のときは、第１の基準距離よりも大きな第２の基準距離や第１の基準面積よりも小さな第２の基準面積を用いて比較を行い、文字サイズが２０ポイント以上のときは、第２の基準距離よりも大きな第３の基準距離や第２の基準面積よりも小さな第３の基準面積を用いて比較を行うようにしてもよい。これによって、文字サイズに応じて、文字の書体や太さの制御を行うことができる。
【００９９】
上記第１〜第３実施形態では、表示可能な文字数が変わらないように、文字サイズを変えずに文字の表示態様を制御しているが、文字サイズを制御する文字サイズ制御部を含むようにしてもよい。たとえば、顔画像の面積が基準面積の１／１０以下である場合や測定された距離が基準距離の１０倍以上である場合に、文字サイズ制御部によって文字サイズを大きくするようにしてもよい。
【０１００】
上記表示装置１〜３に記憶される表示プログラムは、表示部、撮像部、および距離センサを備えるコンピュータを表示装置１〜３として機能させるプログラムである。この表示プログラムは、従来公知の、コンピュータ読み取り可能な記録媒体に記録できる。
【０１０１】
上記表示プログラムを記録媒体に記録することで、表示プログラムに基づく処理を実行するためのプログラムコード（実行形式プログラム、中間コードプログラム、ソースプログラムなど）を記録した記録媒体を持ち運び自在に提供することができる。
【０１０２】
なお、記録媒体は、マイクロコンピュータが処理を行うためのメモリ、たとえばＲＯＭ（Read Only Memory）のようなプログラムメディアであってもよいし、または、コンピュータが外部記憶装置として備えるプログラム読取装置に挿入することで読み取られるプログラムメディアであってもよい。
【０１０３】
記録媒体に格納されているプログラムは、マイクロプロセッサが記録媒体にアクセスして実行する方式であってもよいし、または、マイクロプロセッサが記録媒体からプログラムコードを読み出し、読み出されたプログラムコードがマイクロコンピュータのプログラム記憶エリアにダウンロードされることで、そのプログラムが実行される方式であってもよい。このダウンロード用のプログラムは予め本体装置に格納されているものとする。
【０１０４】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ（Compact Disc - Read Only Memory）、ＭＯ（Magneto Optical disc）、ＭＤ（Mini Disc）、ＤＶＤ（Digital Versatile Disc）などの光ディスクのディスク系、ＩＣカード（メモリカードを含む）、光カードなどのカード系、あるいはマスクＲＯＭ、ＥＰＲＯＭ（Erasable Programmable Read Only Memory）、ＥＥＰＲＯＭ（登録商標）、フラッシュＲＯＭなどによる半導体メモリを含めた固定的にプログラムコードを担持する媒体であってもよい。
【０１０５】
また、コンピュータが、インターネットを含む通信ネットワークを接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記表示プログラムは、上記プログラムコードが電子的な伝送で具現化された、搬送波に埋め込まれたコンピュータデータ信号の形態でも実現され得る。
【符号の説明】
【０１０６】
１，２，３  表示装置
１１，２１，３１  表示部
１２，２２，３２  撮像部
１３，２３，３３  制御部
１３１，２３１，３３１  顔判断部
１３２，２３２，３３２  抽出部
１３３，３３５  測定部
１３４，３３９  距離選択部
１３５，３４０  距離判断部
１３６，２３５  文字表示制御部
２３３，３３３  画像選択部
２３４  画像判断部
３３４  推定部
３３６  対象決定部
３３７  判断部
３３８  第１文字表示制御部
３４１  第２文字表示制御部
【図１】
2013190673.tif 000003
【図２】
2013190673.tif 000004
【図３】
2013190673.tif 000005
【図４】
2013190673.tif 000006
【図５】
2013190673.tif 000007
【図６】
2013190673.tif 000008
【図７】
2013190673.tif 000009